(57)【要約】 【目的】  ジャンボフレーム非対応の通信経路や機器が途中に介在してもジャンボフレームによる通信を有効に活用できることを課題とする。【構成】  通常フレームとジャンボフレームとが混在して伝送される通信システムのパケット通信方法であって、パケット分割側（30d-10）では上流より受信したジャンボフレームを分割して通常フレームと互換性ある複数の分割フレームを生成し、下流に送信すると共に、該分割フレームは、一部の情報につき通常フレームと同じ演算方法で生成された第１のフレームチェック語と、該第１のフレームチェック語を含むフレーム全体の情報につき前記と同じ演算方法で生成された第２のフレームチェック語とを含み、パケット組立側（30e-20）では受信フレーム中の第１のフレームチェック語による検査が正しいことにより分割フレームを抽出し、収集した複数の分割フレームを組み立ててジャンボフレームを生成する。【選択図】  図１
2006173693.tif 000002
【特許請求の範囲】
【請求項１】
所定以下のフレーム長からなる通常フレームと、前記所定を超えるフレーム長からなるジャンボフレームとが混在して伝送されるパケット通信システムのパケット通信方法であって、
パケット分割側では上流より受信したジャンボフレームを分割して所定以下のフレーム長の複数の分割フレームを生成し、下流に送信すると共に、該分割フレームは、その一部の情報につき通常フレームと同じ演算方法で生成された第１のフレームチェック語と、該第１のフレームチェック語を含むフレーム全体の情報につき前記と同じ演算方法で生成された第２のフレームチェック語とを含み、
パケット組立側では受信フレーム中の前記第１のフレームチェック語による検査が正しいことにより分割フレームを抽出し、こうして収集した複数の分割フレームを組み立ててジャンボフレームを生成することを特徴とするパケット通信方法。
【請求項２】
所定以下のフレーム長からなる通常フレームと、前記所定を超えるフレーム長からなるジャンボフレームとが混在して伝送されるパケット通信システムにおいて、
パケット分割装置では上流より受信したジャンボフレームを分割して所定以下のフレーム長からなる複数の分割フレームを生成し、下流に送信すると共に、該分割フレームは、その一部の情報につき通常フレームと同じ演算方法で生成された第１のフレームチェック語と、該第１のフレームチェック語を含むフレーム全体の情報につき前記と同じ演算方法で生成された第２のフレームチェック語とを含み、
パケット組立装置では受信フレームの前記第１のフレームチェック語による検査が正しいことにより分割フレームを抽出し、こうして収集した複数の分割フレームを組み立ててジャンボフレームを生成することを特徴とするパケット通信システム。
【請求項３】
ジャンボフレームをそのまま処理可能なジャンボフレーム対応ネットワーク又は対応通信機器と、ジャンボフレームをそのまま処理できないジャンボフレーム非対応ネットワーク又は非対応通信機器との境界点に、前記パケット分割装置及びパケット組立装置を設けたことを特徴する請求項２記載のパケット通信システム。
【請求項４】
パケット分割装置及びパケット組立装置は、受信した通常フレームをそのまま通過させることを特徴とする請求項２又は３記載のパケット通信システム。
【請求項５】
所定以下のフレーム長からなる通常フレームと、前記所定を超えるフレーム長からなるジャンボフレームとが混在して伝送されるパケット通信システムのパケット分割装置であって、
上流より受信したフレームのフレーム長が所定を超えることによりジャンボフレームを抽出する抽出手段と、
前記抽出したジャンボフレームのデータ部分を複数ブロックに分割し、それぞれにジャンボフレームより複製したフレームヘッダと、分割フレームを表す分割ヘッダを付加すると共に、その一部の情報につき通常フレームと同じ演算方法で生成した第１のフレームチェック語と、該第１のフレームチェック語を含むフレーム全体の情報につき前記と同じ演算方法で生成した第２のフレームチェック語とを付加して所定以下のフレーム長の複数の分割フレームを生成する分割フレーム生成手段とを備えることを特徴とするパケット分割装置。
【発明の詳細な説明】
【技術分野】
【０００１】
本発明はパケット通信方法及びシステム並びにその装置に関し、更に詳しくは、所定以下のフレーム長からなる通常フレームと、前記所定を超えるフレーム長からなるジャンボフレームとが混在して伝送されるパケット通信システムのパケット通信方法及びシステム並びにその装置に関する。
【０００２】
近年、インターネットの普及により、企業や家庭ではより高速な通信環境が要求されている。スループット向上のために、イーサネット（登録商標）標準仕様の最大フレーム長(１５１８バイト)を超えるサイズの所謂ジャンボフレームに対応する通信機器も増えている。  
【０００３】
本発明は、イーサネット標準仕様及びジャンボフレーム対応の機器が混在するネットワークにおいて、ジャンボフレームを処理可能な通信経路や通信機器のみで構成されたジャンボフレーム対応ネットワークとジャンボフレームには対応しないジャンボフレーム非対応ネットワークとの境界部分又は通信端末において利用されるものである。。
【背景技術】
【０００４】
図７は従来技術を説明する図で、ジャンボフレーム対応ネットワークとジャンボフレーム非対応ネットワークとが混在する一例のネットワーク構成を示している。図において、８０はジャンボフレーム対応端末、４０は該端末を収容する同対応ハブ、６０は対応ルータであり、これらがジャンボフレーム対応ネットワーク１００ａ，１００ｂを構成している。また、９０はジャンボフレーム非対応端末、５０は同非対応ハブ、７０は非対応伝送装置、そして、２００は非対応ネットワーク（ＮＷ）である。
【０００５】
係る構成により、例えば、ネットワーク１００ａの対応端末Ａ，Ｂとネットワーク１００ｂの対応端末Ｆ，Ｇとの間で通信する場合は、途中のジャンボフレーム非対応ネットワーク２００でジャンボフレームを処理できずに廃棄してしまうため、ジャンボフレームによる通信は行えない。また、対応端末Ａ，Ｂが非対応端末Ｃ，Ｄ，Ｅと通信し、又は対応端末Ｆ，Ｇが非対応端末Ｈと通信するためには、ジャンボフレーム機能を一律に無効としなければならないため、ジャンボフレーム対応端末Ａ-Ｂ間，あるいは対応端末Ｆ-Ｇ間でもジャンボフレームによる通信を行えない。従って、結果的にジャンボフレーム通信は使用できない。このように、従来は、ジャンボフレームによる通信は送受信端末及び通信経路の全てがジャンボフレームに対応していなくてはならない。
【０００６】
なお、ジャンボフレームに非対応の通信経路や機器を経由しなければならない場合は、ＩＰ等パケットの分割機能を備えた上位プロトコルを使用している場合に限り、ルータ等によってフレームを分割可能であるが、分割されたフレームの組立は受信端末で行われるため、一度分割されてしまった後はジャンボフレームのメリットは失われてしまう。
【０００７】
また従来は、送信端末がフレームを複数セルに分解して送信し、受信端末が複数の受信セルをフレームに組み立てるところの非同期転送モード通信方式が知られている（特許文献１）。
【特許文献１】特開平０３−２３１５４７（第１図，５頁左上欄）
【発明の開示】
【発明が解決しようとする課題】
【０００８】
このように、従来ジャンボフレーム通信を有効に行うためには、ネットワーク全ての通信経路や機器をジャンボフレーム対応にしなければならないため、現状、ジャンボフレームによる通信は限られたネットワークの範囲に限定されていた。
【０００９】
本発明は上記従来技術の問題点に鑑みなされたものであり、その目的とする所は、ジャンボフレーム非対応の通信経路や機器が途中に介在してもジャンボフレームによる通信を有効に活用できるパケット通信方法及びシステム並びにその装置を提供することにある。
【課題を解決するための手段】
【００１０】
上記の課題は例えば図１の構成により解決される。即ち、本発明（１）のパケット通信方法は、所定以下のフレーム長からなる通常フレームと、前記所定を超えるフレーム長からなるジャンボフレームとが混在して伝送されるパケット通信システムのパケット通信方法であって、パケット分割側（例えば３０ｄ−１０）では上流より受信したジャンボフレームを分割して所定以下のフレーム長の複数の分割フレームを生成し、下流に送信すると共に、該分割フレームは、その一部の情報につき通常フレームと同じ演算方法で生成された第１のフレームチェック語と、該第１のフレームチェック語を含むフレーム全体の情報につき前記と同じ演算方法で生成された第２のフレームチェック語とを含み、パケット組立側（例えば３０ｅ−２０）では受信フレーム中の前記第１のフレームチェック語による検査が正しいことにより分割フレームを抽出し、こうして収集した複数の分割フレームを組み立ててジャンボフレームを生成するものである。
【００１１】
本発明（１）によれば、パケット組立側では、受信フレーム中の第１のフレームチェック語による検査が正しいことにより分割フレームを抽出するので、通常フレームと分割フレームとが混在する中から、極めて高い確度で分割フレームを抽出できる。しかも、第１のフレームチェック語は通常方式による第２のフレームチェック語と同じ演算方法で生成され、かつ検査されるため、既存のフレームチェック回路を有効に活用できる。また、このような簡単なジャンボフレーム分割・組立制御は、上位プロトコルとは関係無く、下位プロトコル（イーサネットフレーム）に閉じた形で、容易に実現できる。
【００１２】
また、本発明（２）のパケット通信システムは、所定以下のフレーム長からなる通常フレームと、前記所定を超えるフレーム長からなるジャンボフレームとが混在して伝送されるパケット通信システムにおいて、パケット分割装置では上流より受信したジャンボフレームを分割して所定以下のフレーム長からなる複数の分割フレームを生成し、下流に送信すると共に、該分割フレームは、その一部の情報につき通常フレームと同じ演算方法で生成された第１のフレームチェック語と、該第１のフレームチェック語を含むフレーム全体の情報につき前記と同じ演算方法で生成された第２のフレームチェック語とを含み、パケット組立装置では受信フレームの前記第１のフレームチェック語による検査が正しいことにより分割フレームを抽出し、こうして収集した複数の分割フレームを組み立ててジャンボフレームを生成するものである。。
【００１３】
本発明（３）においては、上記本発明（２）において、ジャンボフレームをそのまま処理可能なジャンボフレーム対応ネットワーク又は対応通信機器と、ジャンボフレームをそのまま処理できないジャンボフレーム非対応ネットワーク又は非対応通信機器との境界点に、前記パケット分割装置及びパケット組立装置を設けたものである。
【００１４】
従って、非対応ネットワーク中でも実質ジャンボフレームを効率よくを透過させることが可能となる。また、対応ネットワーク中はジャンボフレームをそのまま転送できるため、ジャンボフレームのメリットは失われない。
【００１５】
本発明（４）においては、上記本発明（２）又は（３）において、パケット分割装置及
びパケット組立装置は、受信した通常フレームをそのまま通過させるものである。従って、通常フレームは従来通りフリーで転送される。
【００１６】
本発明（５）のパケット分割装置は、所定以下のフレーム長からなる通常フレームと、前記所定を超えるフレーム長からなるジャンボフレームとが混在して伝送されるパケット通信システムのパケット分割装置であって、上流より受信したフレームのフレーム長が所定を超えることによりジャンボフレームを抽出する抽出手段と、前記抽出したジャンボフレームのデータ部分を複数ブロックに分割し、それぞれにジャンボフレームより複製したフレームヘッダと、分割フレームを表す分割ヘッダを付加すると共に、その一部の情報につき通常フレームと同じ演算方法で生成した第１のフレームチェック語と、該第１のフレームチェック語を含むフレーム全体の情報につき前記と同じ演算方法で生成した第２のフレームチェック語とを付加して所定以下のフレーム長の複数の分割フレームを生成する分割フレーム生成手段とを備えるものである。
【００１７】
従って、ジャンボフレームを効率よく抽出し、これを通常フレームと互換性ある複数の分割フレームに容易に分割できる。
【発明の効果】
【００１８】
以上述べた如く本発明によれば、ジャンボフレーム対応と非対応のネットワーク（通信経路や機器）が混在する中で、ジャンボフレーム通信の広域な使用を可能とすると共に、本発明を利用することで高速かつ大量のデータ転送に伴う処理負荷を軽減し、ネットワーク全体のスループットを向上させることが可能となる。
【発明を実施するための最良の形態】
【００１９】
以下、添付図面に従って本発明に好適なる実施の形態を詳細に説明する。なお、全図を通して同一符号は同一又は相当部分を示すものとする。図１は実施の形態によるネットワークシステムの構成を示す図で、本発明のイーサネット（登録商標）への適用例を示している。なお、ネットワーク構成は上記図７で述べたものと同様であり、ここでは、本発明により新たに付加された構成を中心に説明する。
【００２０】
図において、３０はジャンボフレーム対応と非対応の機器や通信経路の境界に設けられるジャンボフレーム分割・組立装置、１０は、上流からの通常フレームはそのまま通過させるが、上流からのジャンボフレームについては、これを抽出して１５１８バイト以下の複数の分割フレームに分割し、出力するジャンボフレーム分割部、２０は、同じく上流からの通常フレームはそのまま通過させるが、上流からの複数の分割フレームについては、これらを一旦バッファリングし、組み立てて元のジャンボフレームを生成し、出力するジャンボフレーム組立部である。
【００２１】
図示の如く、ジャンボフレーム対応ネットワークや機器とジャンボフレーム非対応ネットワークや機器との境界にジャンボフレーム分割・組立装置１０を挿入することでジャンボフレーム非対応ネットワークや機器における実質ジャンボフレームの透過を可能としている。
【００２２】
例えば、ネットワーク１００ａの対応端末Ａが対応端末Ｆ宛に送信したジャンボフレームはジャンボフレーム対応ネットワーク１００ａを介してそのままジャンボフレーム分割・組立装置３０ｄのフレーム分割部１０に至る。
【００２３】
フレーム分割部１０は、上流からの通常フレームはそのまま通過させるが、上流からのジャンボフレームを抽出すると共に、そのデータ部分を複数ブロックに分割し、それぞれに元のジャンボフレームより複製したフレームヘッダと、分割フレームを表す分割ヘッダ
とを付加すると共に、その一部の情報につき通常フレームと同じ演算方法で生成した第１のフレームチェック語と、該第１のフレームチェック語を含むフレーム全体の情報につき前記と同じ演算方法で生成した第２のフレームチェック語とを付加してイーサネット標準仕様に準拠した通常フレームと互換性ある複数の分割フレームを生成し、下流に送信する。
【００２４】
これらの分割フレーム（即ち、実質ジャンボフレーム）はジャンボフレーム非対応ネットワーク２００や機器を介してそのまま転送され、ジャンボフレーム分割・組立装置３０ｅのフレーム組立部２０に至る。該フレーム組立部２０は、上流からの受信フレームにつき、一部の情報につき付与された第１のフレームチェック語についての検査を行い、検査が正しかった受信フレーム（即ち、分割フレーム）を抽出してメモリに蓄積すると共に、送信側で付与された分割ヘッダに基づき所要数の蓄積フレームを組み立ててジャンボフレームを生成し、下流に送信する。このジャンボフレームはジャンボフレーム対応ネットワーク１００ｂを介して対応端末Ｆに受信され、適正に処理される。ジャンボフレーム対応端末Ｆから対応端末Ａ宛に送信されたジャンボフレームについては上記の逆である。
【００２５】
一方、ジャンボフレーム非対応端末Ｃから非対応端末Ｈ宛に送信した通常フレームはジャンボフレーム対応ネットワーク１００ａ、分割・組立装置３０ｄのフレーム分割部１０、非対応ネットワーク２００、分割・組立装置３０ｅのフレーム組立部２０及びジャンボフレーム対応ネットワーク１００ｂを介してそのまま転送され、非対応端末Ｈに受信される。即ち、イーサネット標準仕様フレームによる送受信は全く阻害されない。
【００２６】
また、例えばジャンボフレーム対応端末Ａが非対応端末Ｃと通信する場合は、通常フレムを使用すれば良く、ジャンボフレーム機能を一律に無効とする必要はない。但し、対応端末Ａにおいて、端末Ｃが非対応であることを知っているものとする。以下、各部の詳細を説明する。
【００２７】
図６は実施の形態によるジャンボフレームの分割態様を示す図である。ジャンボフレームのデータ領域を最大１４９０バイトとなるように分割し、それぞれの先頭に分割ヘッダを付与する。一例の分割ヘッダは６バイトから成り、先頭からジャンボフレームの一部（分割フレーム）であることを表すフレーム識別子、分割フレームのデータ長、フレームの分割数及び分割フレームの位置(分割前の何番目に相当するか)を表す。
【００２８】
更に、データ領域の末尾に分割ヘッダからデータ末尾までを演算範囲とした４バイト分のフレームチェックシーケンスＦＣＳ[ｄ]（本発明の第１のフレームチェック語に相当）を付与し、最大１５００バイト分のデータブロックを生成する。なお、ＦＣＳ[ｄ]を４バイトとする意味は、イーサネット標準仕様のフレームチェックシーケンスＦＣＳと全く同じ方法で実現できるため、ハードウェア及びソフトウェアの規模を抑える効果があるからである。
【００２９】
そして、これらのデータブロックの先頭に、元のジャンボフレームに付与されていたイーサネットフレームヘッダ(宛先アドレス、送り元アドレス、タイプ)を付与し、かつ、その末尾に前記宛先アドレスからＦＣＳ「ｄ」までにつき求めた４バイト分のフレームチェックシーケンスＦＣＳ（本発明の第２のフレームチェック語に相当）を付与し、こうしてイーサネット標準仕様と互換性を有する分割フレームを生成する。なお、ジャンボフレームでない場合はフレーム分割は行わず、そのままフレームを透過させる。
【００３０】
図２は実施の形態によるジャンボフレーム分割部のブロック図で、上記図６のフレーム分割を行う場合を示している。図において、１０はジャンボフレーム分割部、１１は受信フレームを一時的に記憶するフレームバッファ、１２は受信フレームのビット（バイト）
数をカウントするフレームカウンタ、１３は受信フレームのＦＣＳ検査を行うＦＣＳ検査部、１４はフレームバッファ１１への受信データ書込制御を行う書込制御部、１５は送信フレームのＦＣＳ［ｄ］及びＦＣＳを生成するＦＣＳ生成部、１６はフレームバッファ１１からの送信データ読出制御を行う読出制御部、１７は送信フレームのフレームヘッダＨＤ、分割ヘッダＤＨＤ、データＤＴ、ＦＣＳ［ｄ］及びＦＣＳを所定のフォーマットに従い組み合わせて出力するデータマルチプレクサ（ＭＵＸ）、１８は、上記各部の制御を行うと共に、入力の通常フレームはそのままで通過させ、かつ入力のジャンボフレームはイーサネット標準仕様に従う複数の分割フレームに分割して出力するフレーム分割制御部である。
【００３１】
図３は実施の形態によるジャンボフレーム組立部のブロック図で、図において、２０はジャンボフレーム組立部、２１は受信フレームを一時的に記憶するフレームバッファ、２２は受信フレームのビット（バイト）数をカウントするフレームカウンタ、２３は受信フレームのＦＣＳ［ｄ］検査及びＦＣＳ検査を行うＦＣＳ検査部、２４はフレームバッファ２１への受信データ書込制御を行う書込制御部、２５は送信フレームのＦＣＳを生成するＦＣＳ生成部、１６はフレームバッファ２１からの送信データ読出制御を行う読出制御部、２７は送信フレームのフレームヘッダＨＤ、デ−タＤＴ、送信フレームにつき生成したＦＣＳ検査バイトを所定のフォーマットに従い組み合わせて出力するデータマルチプレクサ（ＭＵＸ）、２８は、上記各部の制御を行うと共に、入力の通常フレームはそのままで通過させ、かつ入力の分割フレームは所要フレーム数を収集し、組み立てて送信ジャンボフレームを生成するフレーム組立制御部である。次に各部の動作を説明する。
【００３２】
図４は実施の形態によるジャンボフレーム分割処理のフローチャートで、ジャンボフレーム分割部１０により実行される。ステップＳ１１では新たなフレームの受信を待ち、受信でない場合はステップＳ１１に戻る。やがて、新たなフレームを受信すると、ステップＳ１２では当該受信フレームをバッファに蓄積する。ステップＳ１３では受信フレームのＦＣＳ(Frame Check Sequence)検査が正常か否かを判別し、正常な場合は、更にステップＳ１４で受信フレーム長が１５１８バイト以下か否かを判別する。以下でない場合は、ジャンボフレームであるので、ステップＳ１５でフレーム分割数を、
フレーム分割数＝［受信データ長／１４９０バイト］
により求める。ここで、記号［］は小数点以下を切り上げ、整数化することを意味する。ステップＳ１６では分割フレームカウンタｎ＝０に初期化し、ステップＳ１７ではｎが（フレーム分割数−１）か否かを判別する。
【００３３】
ｎ＜（フレーム分割数−１）の場合はステップＳ１８で分割データを、
分割データ＝受信データ｛（ｎ×１４９０）〜（ｎ×１４９０＋１４９０）｝
により求め、ステップＳ２０では分割データの先頭に分割ヘッダ（ｎ）を付与する。分割ヘッダ（ｎ）は当該分割フレームがｎ番目のフレームであることを意味する。ステップＳ２１では分割ヘッダから分割データの末尾までのＦＣＳ演算を行い、その演算結果ＦＣＳ［ｄ］を分割データの末尾に付与する。
【００３４】
ステップＳ２２では受信フレームと同じ内容のヘッダを分割フレームの先頭に付与し、かつこうして得られた分割フレーム全体のＦＣＳ演算を行い、その演算結果ＦＣＳを末尾に付与する。ステップＳ２３では分割フレームを送信する。ステップＳ２４ではフレームカウンタｎに＋１し、ステップＳ１７に戻る。
【００３５】
こうして、やがてステップＳ１７の判別でｎ＝（フレーム分割数−１）になると、ステップＳ１９では分割データを、
分割データ＝受信データ｛（ｎ×１４９０）〜（ｎ×１４９０＋データ末尾）｝
により求め、上記ステップＳ２０以降の処理を実行する。そして、次ぎにステップＳ１７
の判別でｎ＞（フレーム分割数−１）になった事により、処理はステップＳ１１に戻る。
【００３６】
また、上記ステップＳ１３の判別で受信フレームのＦＣＳ検査が正常でない場合はステップＳ２６に進んで当該受信フレームを廃棄する。また、上記ステップＳ１４の判別で受信フレーム長が１５１８バイト以下の場合は、通常フレールであるので、ステップＳ２５に進んで当該受信フレームをそのまま出力する。
【００３７】
図５は実施の形態によるジャンボフレーム組立処理のフローチャートで、ジャンボフレーム組立部２０により実行される。ステップＳ３１では新たなフレーム受信を待ち、受信でない場合はステップＳ３１に戻る。やがて、新たなフレームを受信すると、ステップＳ３２では受信フレームをバッファに蓄積する。ステップＳ３３では受信フレームのＦＣＳ(Frame Check Sequence)検査を行うと共に、その検査結果が正常か否かを判別し、正常でない場合はステップＳ３９で当該受信フレームを廃棄し、ステップＳ３１に戻る。
【００３８】
また、上記ステップＳ３３の判別でＦＣＳ検査結果が正常の場合は、更にステップＳ３４で受信フレーム長≦１５１８バイトか否かを判別する。受信フレーム長≦１５１８バイトでない場合は、ステップＳ３９にすすみ、当該受信フレームを廃棄する。
【００３９】
また、上記ステップＳ３４の判別で受信フレーム長≦１５１８バイトの場合はステップＳ３５で分割ヘッダからデータ部分までのＦＣＳ演算を行い、その演算結果が受信ＦＣＳ［ｄ］と一致するか否かを判別する。一致しない場合は、分割フレームでは無い通常のフレームであるので、ステップＳ４０に進み、当該受信フレームをそのまま出力する。
【００４０】
また、上記ステップＳ３５の判別で分割ヘッダからデータ部分までのＦＣＳ演算結果が受信ＦＣＳ［ｄ］と一致する場合は、分割フレームであるので、ステップＳ３６に進み、フレームバッファ２１内に宛先、送り元、タイプ及び分割ヘッダのフレーム識別子の全てが一致するフレームがあるか否かを判別する。ない場合は、当該フレームが最初の分割フレームであるので、ステップＳ４１で当該受信フレームをバッファ２１に蓄積し、ステップＳ３１に戻る。
【００４１】
また、上記ステップＳ３６の判別で一致するフレームがある場合は、２番目以降の分割フレームであるので、ステップＳ３７に進み、バッファ２１内に全ての分割フレーム（分割ヘッダの内容により既知）がバッファ２１内に揃ったか否かを判別する。揃っていない場合はステップＳ４１に進み、こうして、必要数の分割フレームをバッファ２１に蓄積する。そして、やがて、上記ステップＳ３７の判別でバッファ２１内に全ての分割フレームが揃っていた場合は、ステップＳ３８で必要数の分割フレームを使用して元のジャンボフレームを組立てる。ステップＳ４２では該生成したジャンボフレームを送信し、ステップＳ３１に戻る。
【００４２】
なお、上記本発明に好適なる実施の形態を述べたが、本発明思想を逸脱しない範囲内で各部の構成、処理及びこれらの組合せの様々な変更が行えることは言うまでも無い。
【００４３】
（付記１）  所定以下のフレーム長からなる通常フレームと、前記所定を超えるフレーム長からなるジャンボフレームとが混在して伝送されるパケット通信システムのパケット通信方法であって、パケット分割側では上流より受信したジャンボフレームを分割して所定以下のフレーム長の複数の分割フレームを生成し、下流に送信すると共に、該分割フレームは、その一部の情報につき通常フレームと同じ演算方法で生成された第１のフレームチェック語と、該第１のフレームチェック語を含むフレーム全体の情報につき前記と同じ演算方法で生成された第２のフレームチェック語とを含み、パケット組立側では受信フレーム中の前記第１のフレームチェック語による検査が正しいことにより分割フレー
ムを抽出し、こうして収集した複数の分割フレームを組み立ててジャンボフレームを生成することを特徴とするパケット通信方法。
【００４４】
（付記２）  所定以下のフレーム長からなる通常フレームと、前記所定を超えるフレーム長からなるジャンボフレームとが混在して伝送されるパケット通信システムにおいて、パケット分割装置では上流より受信したジャンボフレームを分割して所定以下のフレーム長からなる複数の分割フレームを生成し、下流に送信すると共に、該分割フレームは、その一部の情報につき通常フレームと同じ演算方法で生成された第１のフレームチェック語と、該第１のフレームチェック語を含むフレーム全体の情報につき前記と同じ演算方法で生成された第２のフレームチェック語とを含み、パケット組立装置では受信フレームの前記第１のフレームチェック語による検査が正しいことにより分割フレームを抽出し、こうして収集した複数の分割フレームを組み立ててジャンボフレームを生成することを特徴とするパケット通信システム。
【００４５】
（付記３）  ジャンボフレームをそのまま処理可能なジャンボフレーム対応ネットワーク又は対応通信機器と、ジャンボフレームをそのまま処理できないジャンボフレーム非対応ネットワーク又は非対応通信機器との境界点に、前記パケット分割装置及びパケット組立装置を設けたことを特徴する付記２記載のパケット通信システム。
【００４６】
（付記４）  パケット分割装置及びパケット組立装置は、受信した通常フレームをそのまま通過させることを特徴とする付記２又は３記載のパケット通信システム。
【００４７】
（付記５）  所定以下のフレーム長からなる通常フレームと、前記所定を超えるフレーム長からなるジャンボフレームとが混在して伝送されるパケット通信システムのパケット分割装置であって、上流より受信したフレームのフレーム長が所定を超えることによりジャンボフレームを抽出する抽出手段と、前記抽出したジャンボフレームのデータ部分を複数ブロックに分割し、それぞれにジャンボフレームより複製したフレームヘッダと、分割フレームを表す分割ヘッダを付加すると共に、その一部の情報につき通常フレームと同じ演算方法で生成した第１のフレームチェック語と、該第１のフレームチェック語を含むフレーム全体の情報につき前記と同じ演算方法で生成した第２のフレームチェック語とを付加して所定以下のフレーム長の複数の分割フレームを生成する分割フレーム生成手段とを備えることを特徴とするパケット分割装置。
【００４８】
（付記６）  所定以下のフレーム長からなる通常フレームと、前記所定を超えるフレーム長からなるジャンボフレームとが混在して伝送されるパケット通信システムのパケット組立装置であって、受信フレームにつき、その一部の情報につき通常フレームと同じ演算方法により送信側にて生成され、付与された第１のフレームチェック語についての検査を行うフレーム検査手段と、前記フレーム検査手段による検査が正しかった受信フレームを抽出してメモリに蓄積すると共に、前記一部の情報に含まれる所定のヘッダ情報であって送信側で付与されたもの、に基づき所要数の蓄積フレームを組み立てて、ジャンボフレームを生成するフレーム組立手段とを備えることを特徴とするパケット組立装置。
【図面の簡単な説明】
【００４９】
【図１】実施の形態によるネットワークシステムの構成を示す図である。
【図２】実施の形態によるジャンボフレーム分割部のブロック図である。
【図３】実施の形態によるジャンボフレーム組立部のブロック図である。
【図４】実施の形態によるジャンボフレーム分割処理のフローチャートである。
【図５】実施の形態によるジャンボフレーム組立処理のフローチャートである。
【図６】実施の形態によるジャンボフレームの分割態様を示す図である。
【図７】従来技術を説明する図である。
【符号の説明】
【００５０】
１０  ジャンボフレーム分割部
２０  ジャンボフレーム組立部
３０  ジャンボフレーム分割・組立装置
４０  ジャンボフレーム対応ハブ
５０  ジャンボフレーム非対応ハブ
６０  ジャンボフレーム対応ルータ
７０  ジャンボフレーム非対応伝送装置
８０  ジャンボフレーム対応端末
９０  ジャンボフレーム非対応端末
【図１】
2006173693.tif 000003
【図２】
2006173693.tif 000004
【図３】
2006173693.tif 000005
【図４】
2006173693.tif 000006
【図５】
2006173693.tif 000007
【図６】
2006173693.tif 000008
【図７】
2006173693.tif 000009